(57)【要約】【課題】各発光素子を駆動するのに必要なプログラム時間を短縮することの可能な発光素子駆動装置を提供する。【解決手段】ゲートコントローラ６８から、有機エレクトロルミネッセンス素子６４の発光または非発光を表わす発光制御信号ＳＣＮＢが、各ピクセル回路６９のトランジスタＴｒ４に入力される。有機エレクトロルミネッセンス素子６４に供給する電流の値を表わすプログラム制御信号ＳＣＮＡが、発光制御信号ＳＣＮＢがトランジスタＴｒ４に入力されない間に、ピクセル回路６９のドライバ部７１に入力される。【選択図】図１１
2007283598.tif 000002
【特許請求の範囲】
【請求項１】
複数の発光素子を駆動する発光素子駆動装置であって、
複数の駆動エレメントと、
各駆動エレメントに接続され、発光素子の発光または非発光を制御するための発光制御信号を入力する複数の第１の信号線と、
各駆動エレメントに接続され、前記発光素子に供給する電流を制御する駆動条件を設定するためのプログラム制御信号を入力する複数の第２の信号線と、を備え、
前記各駆動エレメントは、少なくとも一つの発光素子と、前記発光制御信号に基づき当該発光素子に電流を供給して駆動するドライバ部と、前記プログラム制御信号に基づき前記電流の値を決定するプログラム部とを含み、
前記第２の信号線は、前記ドライバ部に前記発光制御信号が入力されない間に、前記駆動条件の変動を防ぐための補助プログラミングを施すため、前記プログラム部に前記プログラム制御信号を入力する発光素子駆動装置。
【請求項２】
請求項１記載の発光素子駆動装置であって、
前記プログラム部が、前記プログラム制御信号に基づき、前記電流を前記発光素子に供給する基準となる電荷を蓄積する容量素子を含む発光素子駆動装置。
【請求項３】
請求項１記載の発光素子駆動装置であって、
前記複数の第１の信号線は、前記駆動エレメント毎に、前記発光制御信号を独立して入力し、前記複数の第２の信号線は、複数の駆動エレメントからなるグループ毎に、前記プログラム制御信号を入力する発光素子駆動装置。
【請求項４】
請求項１記載の発光素子駆動装置であって、
前記ドライバ部は前記発光素子に直列に接続された第１のトランジスタと前記発光素子に並列に接続された第２のトランジスタから構成される発光素子駆動装置。
【請求項５】
請求項１記載の発光素子駆動装置であって、
前記発光制御信号が、前記発光素子からの光によって形成される像を形成するためのデータに基づく信号であるである発光素子駆動装置。
【請求項６】
請求項１ないし５のいずれか１項記載の発光素子駆動装置であって、
前記発光素子が有機エレクトロルミネッセンス素子により構成された発光素子駆動装置。
【請求項７】
請求項１ないし６のいずれか１項記載の発光素子駆動装置を含む画像形成装置。
【請求項８】
複数の発光素子と、
各発光素子に対応して設けられ、前記発光素子を所定の駆動条件で駆動する駆動エレメントと、
前記駆動エレメントに対して、第１の時間長、または当該第１の時間長より短い第２の時間長で前記発光素子の駆動条件を設定する駆動条件設定部と、
前記駆動条件設定部によって設定された駆動条件に従って、前記駆動エレメントを介して、各発光素子の発光、非発光を制御する駆動制御部と、
を備えた発光素子駆動装置。
【請求項９】
請求項８記載の発光素子駆動装置であって、
前記駆動制御部の動作に先立って、前記駆動条件設定部は、前記駆動エレメントに対して前記第１の時間長で前記発光素子の駆動条件を設定し、
前記駆動制御部の動作を開始した後は、前記駆動条件設定部は、前記駆動エレメントに対して所定の周期で前記第２の時間長で前記発光素子の駆動条件を設定する、発光素子駆動装置。
【請求項１０】
複数の発光素子と、
各発光素子に対応して設けられ、前記発光素子を所定の駆動条件で駆動する駆動エレメントと、
前記駆動エレメントに対して、前記発光素子の駆動条件を設定する駆動条件設定部と、
前記駆動エレメントを介して、所定の周期で各発光素子の発光、非発光を制御する駆動制御部と、を備え、
前記駆動条件設定部によって設定された前記発光素子の駆動条件を維持して、前記駆動制御部は複数の周期の間、前記発光素子を駆動するように構成した発光素子駆動装置。
【請求項１１】
請求項１０記載の発光素子駆動装置であって、
前記駆動条件設定部によって、前記駆動エレメントに、発光素子の駆動電流または駆動電圧を設定する発光素子駆動装置。
【請求項１２】
請求項８ないし１１のいずれか１項記載の発光素子駆動装置であって、
前記発光素子が有機エレクトロルミネッセンス素子により構成された発光素子駆動装置。
【請求項１３】
請求項８ないし１２のいずれか１項記載の発光素子駆動装置を含む画像形成装置。
【請求項１４】
請求項１３記載の画像形成装置であって、
前記複数の周期を印刷ページのラスタ数とした画像形成装置。
【発明の詳細な説明】
【技術分野】
【０００１】
本発明は複数の発光素子を駆動する発光素子駆動装置、さらにはこのような発光素子駆動装置装置を使用した画像形成装置に関する。
【背景技術】
【０００２】
予め所定の電位に帯電した感光体を画像情報に応じて露光して静電潜像を形成し、この静電潜像をトナーにより現像し、顕画化されたトナー像を記録紙に転写、加熱定着して画像を得る、いわゆる電子写真プロセスを応用した画像形成装置に用いられる露光装置として、レーザダイオードを光源とした光ビームをポリゴンミラーと呼称される回転多面鏡を介して感光体上を走査して静電潜像を形成する方式と、発光ダイオード（以降ＬＥＤと呼称する）や有機エレクトロルミネッセンス材料を用いて構成した発光素子をライン状に配置した発光素子列を用いて各発光部を個別に点灯（ＯＮ／ＯＦＦ）制御して感光体上に静電潜像を形成する方式が知られている。
【０００３】
一般にＬＥＤや有機エレクトロルミネッセンス材料を用いた発光素子列を構成要素として含む露光装置は、感光体のごく近傍で各発光素子を選択的に点灯して感光体上に露光光を照射するので、これらを搭載した画像形成装置はレーザダイオードを用いた画像形成装置における回転多面鏡のような可動部がなく信頼性、静粛性が高く、またレーザダイオードの出射光を感光体に導く光学系や、光の経路となる大きな光学的空間が不要で画像形成装置を小型化することが可能である。
【０００４】
特に発光素子として有機エレクトロルミネッセンス素子を搭載した露光装置は、ガラスなどの基板上に薄膜トランジスタ（Thin Film Transistor；以降ＴＦＴと呼称する）から成るスイッチング素子で構成される駆動回路と有機エレクトロルミネッセンス素子を一体として形成できるため、構造、製造工程がシンプルであり、発光素子としてＬＥＤを搭載した露光装置と比較して更なる小型化、低コスト化を実現できる可能性がある。
【０００５】
また、有機エレクトロルミネッセンス素子はその駆動に伴って発光輝度が徐々に低下する、いわゆる光量劣化が発生することが知られている。特に一般的なディスプレイ装置などに応用される有機エレクトロルミネッセンス素子と異なり、電子写真装置などの画像形成装置に搭載される露光装置に応用される有機エレクトロルミネッセンス素子には、非常に高い発光輝度が要求され、光量劣化の影響を受けやすい。このため、個々の有機エレクトロルミネッセンス素子の露光量を初期と同等の状態に維持するために何らかの露光量補正が必要とされている。
【０００６】
上述のような構成を有する画像形成装置に対しては、印字速度、印刷速度の更なる高速化が求められている。そして、個々の有機エレクトロルミネッセンス素子に駆動のためのプログラム動作が、各素子のドライバ回路に書き込まれるのが一般的である。このような構成下で安定した装置の動作、高速な動作を確保するためには、各ドライバ回路への速やかなプログラム動作の書き込みが重要なものとなる。
【０００７】
特許文献１では、アクティブマトリクス型の表示装置において、ソース信号線の浮遊容量や配線抵抗の影響により、コンデンサ（蓄積容量）への電荷チャージが正常に行うことができない問題が提示されている。このような問題に対し、ソース信号線に電圧を印加する手段と、所定の電流を流す手段と、これら２つの手段を切り替える切り替え手段を設けることにより、プログラム時間を短縮し、表示性能を改善する技術が提案されている。
【特許文献１】特開２００３−６６９０８号公報
【発明の開示】
【発明が解決しようとする課題】
【０００８】
しかしながら、上述のような技術においては素子駆動回路の複雑化が不可避であり、結果的に製造工程の複雑化、コスト上昇を招くこととなる。
【０００９】
本発明は、適用対象の更なる装置について、さらなる高速化とともに製造コストを抑えることを可能する発光素子駆動装置を提供し、さらにこのような発光素子駆動装置を用いた画像形成装置を提供することを目的とする。
【課題を解決するための手段】
【００１０】
本発明の発光素子駆動装置は、複数の発光素子を駆動する発光素子駆動装置であって、複数の駆動エレメントと、各駆動エレメントに接続され、発光素子の発光または非発光を制御するための発光制御信号を入力する複数の第１の信号線と、各駆動エレメントに接続され、前記発光素子に供給する電流を制御するためのプログラム制御信号を入力する複数の第２の信号線と、を備え、前記各駆動エレメントは、少なくとも一つの発光素子と、前記発光制御信号に基づき当該発光素子に電流を供給して駆動するドライバ部と、前記プログラム制御信号に基づき前記電流の値を決定するプログラム部とを含み、前記第２の信号線は、前記発光素子の複数の発光周期にわたって前記ドライバ部に前記発光制御信号が入力されない間に、前記駆動条件の変動を防ぐための補助プログラミングを施すため、前記プログラム部に前記プログラム制御信号を入力する。
【００１１】
本発明の発光素子駆動装置によれば、各発光素子に必要とされるプログラム時間を短縮することが可能となる。従って、画像形成装置のようなその適用対象の装置について、さらなる高速化とともに製造コストを抑えることを可能する。
【００１２】
また、前記プログラム部は、前記プログラム制御信号に基づき、前記電流を前記発光素子に供給する基準となる電荷を蓄積する容量素子を含んでも良い。さらに、前記複数の第１の信号線は、前記駆動エレメント毎に、前記発光制御信号を独立して入力し、前記複数の第２の信号線は、複数の駆動エレメントからなるグループ毎に、前記プログラム制御信号を入力するようにしてもよい。
【００１３】
さらに、前記ドライバ部は前記発光素子に直列に接続された第１のトランジスタと前記発光素子に並列に接続された第２のトランジスタから構成され得る。また、前記発光制御信号は、前記発光素子からの光によって形成される像を形成するためのデータに基づく信号であっても良い。
【００１４】
更に本発明は、複数の発光素子と、各発光素子に対応して設けられ、前記発光素子を所定の駆動条件で駆動する駆動エレメントと、前記駆動エレメントに対して、第１の時間長、または当該第１の時間長より短い第２の時間長で前記発光素子の駆動条件を設定する駆動条件設定部と、前記駆動条件設定部によって設定された駆動条件に従って、前記駆動エレメントを介して、各発光素子の発光、非発光を制御する駆動制御部とを備えた発光素子駆動装置を提供する。ここで、前記駆動制御部の動作に先立って、前記駆動条件設定部は、前記駆動エレメントに対して前記第１の時間長で前記発光素子の駆動条件を設定し、前記駆動制御部の動作を開始した後は、前記駆動条件設定部は、前記駆動エレメントに対して所定の周期で前記第２の時間長で前記発光素子の駆動条件を設定するようにしてもよい。
【００１５】
更に本発明は、複数の発光素子と、各発光素子に対応して設けられ、前記発光素子を所定の駆動条件で駆動する駆動エレメントと、前記駆動エレメントに対して、前記発光素子の駆動条件を設定する駆動条件設定部と、前記駆動エレメントを介して、所定の周期で各発光素子の発光、非発光を制御する駆動制御部と、を備え、前記駆動条件設定部によって設定された前記発光素子の駆動条件を維持して、前記駆動制御部は複数の周期の間、前記発光素子を駆動するように構成した発光素子駆動装置を提供する。ここで、前記駆動条件設定部によって、前記駆動エレメントに、発光素子の駆動電流または駆動電圧を設定するようにしてもよい。
【００１６】
前記発光素子としては有機エレクトロルミネッセンス素子が考えられる。また、本発明の発光素子駆動装置は、画像形成装置に適用され得る。この場合、前記複数の周期を印刷ページのラスタ数とすることができる。これにより、画像形成装置の製造コストの増大を抑えることも可能となる。
【発明の効果】
【００１７】
本発明によれば、画像形成装置のような適用対象の装置について、さらなる高速化とともに製造コストを抑えることを可能する。
【発明を実施するための最良の形態】
【００１８】
以下、本発明の基本となる構成に関する実施形態を、図面を用いて説明する。
【００１９】
図１は本発明の実施形態に係る画像形成装置の構成図である。図１において、画像形成装置１は装置内にイエロー現像ステーション２Ｙ、マゼンタ現像ステーション２Ｍ、シアン現像ステーション２Ｃ、ブラック現像ステーション２Ｋの４色分の現像ステーションを縦方向に階段状に配列し、その上方には記録媒体である記録紙３が収容される給紙トレイ４を配設すると共に、各現像ステーション２Ｙ〜２Ｋ に対応した箇所には給紙トレイ４から供給された記録紙３の搬送路となる記録紙搬送路５を上方から下方の縦方向に構成したものである。
【００２０】
現像ステーション２Ｙ〜２Ｋは記録紙搬送路５の上流側から順に、イエロー、マゼンタ、シアン、ブラックのトナー像を形成するものであり、イエロー現像ステーション２Ｙは感光体８Ｙ、マゼンタ現像ステーション２Ｍには感光体８Ｍ、シアン現像ステーション２Ｃには感光体８Ｃ、ブラック現像ステーション２Ｋには感光体８Ｋが含まれ、更に各現像ステーション２Ｙ〜２Ｋには後に説明する現像スリーブ、帯電器など、一連の電子写真方式における現像プロセスを実現する部材が含まれている。
【００２１】
更に各現像ステーション２Ｙ〜２Ｋの下部には感光体８Ｙ〜８Ｋの表面を露光して静電潜像を形成するための露光装置１３Ｙ、１３Ｍ、１３Ｃ、１３Ｋが配置されている。
【００２２】
現像ステーション２Ｙ〜２Ｋは充填された現像剤の色が異なっているが、構成は現像色に関わらず同一であるため、以降の説明を簡単にするため特に明示する必要がある場合を除いて現像ステーション２、感光体８、露光装置１３のごとく特定の色を明示せずに説明する。
【００２３】
図２は本発明の画像形成装置１における現像ステーション２の周辺を示す構成図である。図２において、現像ステーション２の内部にはキャリアとトナーの混合物である現像剤６が充填されている。７ａ、７ｂは現像剤６を攪拌する攪拌パドルであり、攪拌パドル７ａと７ｂの回転によって現像剤６中のトナーはキャリアとの摩擦によって所定の電位に帯電されると共に、トナーとキャリアは現像ステーション２の内部を巡回することで十分に攪拌混合される。感光体８は図示しない駆動源によって方向Ｄ３に回転する。９は帯電器であり感光体８の表面を所定の電位に帯電する。１０は現像スリーブ、１１は薄層化ブレードである。現像スリーブ１０は内部に複数の磁極が形成されたマグネットロール１２を有している。薄層化ブレード１１によって現像スリーブ１０の表面に供給される現像剤６の層厚が規制されると共に、現像スリーブ１０は図示しない駆動源によって方向Ｄ４に回転し、この回転およびマグネットロール１２の磁極の作用によって現像剤６は現像スリーブ１０の表面に供給され、後述する露光装置１３によって感光体８に形成された静電潜像を現像するとともに、感光体８に転写されなかった現像剤６は現像ステーション２の内部に回収される。
【００２４】
尚、本実施形態においては、後述するように、発光素子（有機エレクトロルミネッセンス素子）の発光量を補正する所定のタイミングにて、現像ステーション２が水平方向に移動可能なように構成されている。この構成は図１６にて説明されているが、図２ででは、図１６で示された現像当接カム２１０、引っ張りバネ２１１、現像側バネかけボス２１２、本体側バネかけボス２１３の記載を省略している。
【００２５】
１３は露光装置である。露光装置１３は露光光源としての有機エレクトロルミネッセンス素子を６００ｄｐｉ（dot／inch）の解像度で列状に配置した発光素子列を有しており、帯電器９によって所定の電位に帯電した感光体８に対し、画像データに応じて選択的に有機エレクトロルミネッセンス素子をＯＮ／ＯＦＦすることで、最大Ａ４サイズの静電潜像を形成する。現像スリーブ１０に所定の電位（現像バイアス）を印加すると、この静電潜像部分と現像スリーブ１０の間に電位勾配が生じる。そして、現像スリーブ１０の表面に供給され、所定の電位に帯電している現像剤６中のトナーにクーロン力が作用し、感光体８には現像剤６のうちトナーのみが付着し、静電潜像が顕画化される。
【００２６】
後に詳細に説明するように露光装置１３には、有機エレクトロルミネッセンス素子の発光量を計測する光量計測手段として光量センサが設けられている。
【００２７】
１６は転写ローラである。転写ローラ１６は感光体８に対し記録紙搬送路５と対向する位置に設けられており、図示しない駆動源により方向Ｄ５に回転する。転写ローラ１６には所定の転写バイアスが印加されており、感光体８上に形成されたトナー像を、記録紙搬送路５を搬送されてきた記録紙３に転写する。
【００２８】
以降図１に戻って説明を続ける。
【００２９】
１７はトナーボトルであり、イエロー、マゼンタ、シアン、ブラックのトナーが格納されている。トナーボトル１７から各現像ステーション２Ｙ〜２Ｋには図示しないトナー搬送用のパイプが配設され、各現像ステーション２Ｙ〜２Ｋにトナーを供給している。
【００３０】
１８は給紙ローラであり、図示しない電磁クラッチを制御することで方向Ｄ１に回転し、給紙トレイ４に装填された記録紙３を記録紙搬送路５に送り出す。
【００３１】
給紙ローラ１８と最上流のイエロー現像ステーション２Ｙの転写部位との間に位置する記録紙搬送路５には、入口側のニップ搬送手段としてレジストローラ１９、ピンチローラ２０対が設けられている。レジストローラ１９、ピンチローラ２０対は、給紙ローラ１８により搬送された記録紙３を一時的に停止させ、所定のタイミングでイエロー現像ステーション２Ｙの方向に搬送する。この一時停止によって記録紙３の先端がレジストローラ１９、ピンチローラ２０対の軸方向と平行に規制され、記録紙３の斜行を防止する。
【００３２】
２１は記録紙通過検出センサである。記録紙通過検出センサ２１は反射型センサ（フォトリフレクタ）によって構成され、反射光の有無で記録紙３の先端および後端を検出する。
【００３３】
さて図示しない電磁クラッチによって動力伝達を制御しレジストローラ１９の回転を開始すると記録紙３は記録紙搬送路５に沿ってイエロー現像ステーション２Ｙの方向に搬送されるが、レジストローラ１９の回転開始のタイミングを起点として、各現像ステーション２Ｙ〜２Ｋの近傍に配置された露光装置１３Ｙ〜１３Ｋによる静電潜像の書込みタイミング、現像バイアスのＯＮ／ＯＦＦ、転写バイアスのＯＮ／ＯＦＦなどがそれぞれ独立して制御される。
【００３４】
以降図２を用いて説明を続ける。
【００３５】
図２に示す露光装置１３から現像領域（感光体８と現像スリーブ１０の間隔が最も狭い部位の近傍）までの距離は設計事項であるから、例えば露光装置１３による露光を開始して感光体８上に形成された潜像が現像領域に到達する時間も設計事項である。
【００３６】
本実施形態ではレジストローラ１９の回転開始のタイミングを起点として、後に説明するように複数ページを連続して印字する際に、記録紙搬送路５を搬送される記録紙と記録紙の間（即ち紙間）において露光装置１３を構成する有機エレクトロルミネッセンス素子の光量を設定して点灯させるとともに、感光体８上に形成された潜像位置に対して現像バイアスをＯＦＦにするような制御を行なっている。
【００３７】
以降図１に戻って説明を続ける。
【００３８】
最下流のブラック現像ステーション２Ｋの更に下流側に位置する記録紙搬送路５には出口側のニップ搬送手段として定着器２３が設けられている。定着器２３は加熱ローラ２４と加圧ローラ２５から構成されている。
【００３９】
２７は加熱ローラ２４の温度を検出するための温度センサである。温度センサ２７は金属酸化物を主原料とし、高温で焼結して得られるセラミック半導体であり、温度に応じて負荷抵抗が変化することを応用して接触した対象物の温度を計測することができる。温度センサ２７の出力は後述するエンジン制御部４２に入力され、エンジン制御部４２は温度センサ２７の出力に基づいて加熱ローラ２４に内蔵された熱源（図示せず）に供給する電力を制御し、加熱ローラ２４の表面温度が約１７０゜Ｃとなるように制御する。
【００４０】
この温度制御がなされた加熱ローラ２４と加圧ローラ２５によって形成されるニップ部にトナー像が形成された記録紙３が通紙されると、記録紙３上のトナー像は加熱ローラ２４と加圧ローラ２５によって加熱および加圧され、トナー像が記録紙３上に定着される。
【００４１】
２８は記録紙後端検出センサであり、記録紙３の排出状況を監視するものである。３２はトナー像検出センサである。トナー像検出センサ３２は発光スペクトルの異なる複数の発光素子（共に可視光）と単一の受光素子を用いた反射型センサユニットであり、記録紙３の地肌と画像形成部分とで、画像色に応じて吸収スペクトルが異なることを利用して画像濃度を検出するものである。またトナー像検出センサ３２は画像濃度のみならず画像形成位置も検出できるため、実施形態における画像形成装置１ではトナー像検出センサ３２を画像形成装置１の幅方向に２ヶ所設け、記録紙３上に形成した画像位置ずれ量検出パターンの検出位置に基づき画像形成タイミングを制御している。
【００４２】
３３は記録紙搬送ドラムである。記録紙搬送ドラム３３は表面を２００μｍ程度の厚さのゴムで被覆した金属製ローラであり、定着後の記録紙３は記録紙搬送ドラム３３に沿って方向Ｄ２に搬送される。このとき記録紙３は記録紙搬送ドラム３３によって冷却されると共に、画像形成面と逆方向に曲げられて搬送される。これによって記録紙全面に高濃度の画像を形成した場合などに発生するカールを大幅に軽減することができる。その後、記録紙３は蹴り出しローラ３５によって方向Ｄ６に搬送され、排紙トレイ３９に排出される。
【００４３】
３４はフェイスダウン排紙部である。フェイスダウン排紙部３４は支持部材３６を中心に回動可能に構成され、フェイスダウン排紙部３４を開放状態にすると、記録紙３は方向Ｄ７に排紙される。このフェイスダウン排紙部３４は閉状態では記録紙搬送ドラム３３と共に記録紙３の搬送をガイドするように、背面に搬送経路に沿ったリブ３７が形成されている。
【００４４】
３８は駆動源であり、本実施形態ではステッピングモータを採用している。駆動源３８によって給紙ローラ１８、レジストローラ１９、ピンチローラ２０、感光体８Ｙ〜８Ｋ、および転写ローラ１６（図２参照）を含む各現像ステーション２Ｙ〜２Ｋの周辺部、定着器２３、記録紙搬送ドラム３３、蹴り出しローラ３５の駆動を行っている。
【００４５】
４１はコントローラであり外部のネットワークを介して図示しないコンピュータなどからの画像データを受信し、プリント可能な画像データを展開、生成する。後に詳細に説明するように、コントローラ４１に搭載されたコントローラＣＰＵ（図示せず）は露光装置1３Ｙ〜１３Ｋから発光素子である有機エレクトロルミネッセンス素子の光量の計測データを受け取り光量補正データの生成を行なう光量補正手段であるとともに、この光量補正データに基づき有機エレクトロルミネッセンス素子の光量を設定する光量設定手段でもある。
【００４６】
４２はエンジン制御部である。エンジン制御部４２は画像形成装置１のハードウェアやメカニズムを制御し、コントローラ４１から転送された画像データおよび光量補正データに基づいて記録紙３にカラー画像を形成すると共に、上述した定着器２３の加熱ローラ２４の温度制御を含む画像形成装置１の制御全般を行っている。
【００４７】
４３は電源部である。電源部４３は、露光装置１３Ｙ〜１３Ｋ、駆動源３８、コントローラ４１、エンジン制御部４２へ所定電圧の電力供給を行なうと共に、定着器２３の加熱ローラ２４への電力供給を行っている。また感光体８の表面を帯電するための帯電電位、現像スリーブ（図２参照）に印加する現像バイアス、転写ローラ１６に印加する転写バイアスなどのいわゆる高圧電源系もこの電源部に含まれている。エンジン制御部４２は電源部４３を制御することで、高圧電源のＯＮ／ＯＦＦのみならず出力電圧値や出力電流値を調整している。
【００４８】
また電源部４３には電源監視部４４が含まれ、少なくともエンジン制御部４２に供給される電源電圧、および電源部４３の出力電圧をモニタできるようになっている。このモニタ信号はエンジン制御部４２おいて検出され、電源スイッチのオフや停電などの際に発生する電源電圧の低下や、特に高圧電源の出力異常を検出している。
【００４９】
以上のように構成された画像形成装置１について、図１と図２を用いてその動作について説明する。
【００５０】
なお以降の説明において、画像形成装置１の構成および動作全般に関わる説明については主に図１を用い、現像ステーション２Ｙ〜２Ｋ、感光体８Ｙ〜８Ｋ、露光装置１３Ｙ〜１３Ｋのように色を区別して説明するが、露光や現像過程など単色に関わる説明については主に図２を用い、簡単のために現像ステーション２、感光体８、露光装置１３のように色を区別せずに説明する。
【００５１】
＜初期化動作＞
まず画像形成装置１に電源が投入された際の初期化動作について説明する。
【００５２】
電源が投入されるとエンジン制御部４２に搭載されたエンジン制御ＣＰＵ（図示せず）は画像形成装置１を構成する電気的リソース、即ち書込み／読出しが可能なレジスタ、メモリなどのエラーチェックを実行する。このエラーチェックが完了するとエンジン制御ＣＰＵ（図示せず）は駆動源３８の回転を開始する。上述したように駆動源３８によって給紙ローラ１８、レジストローラ１９、ピンチローラ２０、感光体８Ｙ〜８Ｋ、および転写ローラ１６を含む各現像ステーション２Ｙ〜２Ｋの周辺部、定着器２３、記録紙搬送ドラム３３、蹴り出しローラ３５が駆動される。ただし電源投入直後は記録紙３の搬送にかかわる給紙ローラ１８およびレジストローラ１９は、これらに駆動力を伝達する電磁クラッチ（図示せず）は直ちにＯＦＦに設定され、記録紙３を搬送することがないように制御されている。
【００５３】
以降図２を中心に説明を続ける。
【００５４】
駆動源３８（図１参照）の回転に伴って現像ステーション２の攪拌パドル７ａ、７ｂおよび現像スリーブ１０も回転を始め、これによって現像ステーション２に充填されたトナーとキャリアからなる現像剤６は現像ステーション２内を周回するとともに、トナーとキャリアの相互の摩擦によってトナーはマイナス電荷を付与される。
【００５５】
エンジン制御ＣＰＵ（図示せず）は駆動源３８（図１参照）の回転を開始して所定時間経過後に、電源部４３（図１参照）を制御して帯電器９をＯＮにする。帯電器９によって感光体８の表面は例えば−６５０Ｖの電位に帯電される。感光体８は方向Ｄ３に回転しており、エンジン制御ＣＰＵ（図示せず）は帯電領域が現像領域、即ち感光体８と現像スリーブ１０の最近接位置に到達した後に、電源部４３（図１参照）を制御して現像スリーブ１０に例えば−２５０Ｖの現像バイアスを印加する。このとき感光体８の表面電位は−６５０Ｖであり、現像スリーブ１０に印加された現像バイアスは−２５０Ｖであるから、電気力線は現像スリーブ１０から感光体８の方向を向き、マイナス電荷を有するトナーに作用するクーロン力は感光体８から現像スリーブ１０の方向となる。よってトナーは感光体８に付着することはない。
【００５６】
既に述べたように電源部４３（図１参照）には高圧電源の出力異常（例えばリークなど）をモニタする機能があり、エンジン制御ＣＰＵ（図示せず）は帯電器９や現像スリーブ１０に高電圧を印加した際の異常をチェックすることができる。
【００５７】
これら一連の初期化動作の最後に、又は後述するような所定の他のタイミングにおいて、エンジン制御ＣＰＵ９１（図７参照）は、露光装置１３の光量補正を実行する。エンジン制御部４２（図１参照）に搭載されたエンジン制御ＣＰＵ９１はコントローラ４１（図１参照）に対して光量補正用のダミーイメージ情報の作成要求を出力する。この作成要求に基づきコントローラ４１（図１参照）は光量補正用のダミーイメージ情報を生成し、これに基づいて露光装置１３を構成する有機エレクトロルミネッセンス素子は初期化の時点で実際に点灯制御される。
【００５８】
本発明に係る画像形成装置１は後に詳細に説明するように、複数の発光素子（有機エレクトロルミネッセンス素子）を列状に形成した発光素子列を設けた露光装置１３を有し、この露光装置１３によって像担持体である感光体８を露光して画像形成を行なう画像形成装置であって、発光素子（有機エレクトロルミネッセンス素子）の光量を設定する光量設定手段（上述のコントローラ４１に搭載されたコントローラＣＰＵ）と、発光素子（有機エレクトロルミネッセンス素子）の光量を計測する光量計測手段（上述の露光装置１３に設けられた光量センサ）を有する。
【００５９】
更に本発明に係る画像形成装置１は複数の発光素子（有機エレクトロルミネッセンス素子）を列状に形成した発光素子列を設けた露光装置１３と、この露光装置１３によって潜像が形成される感光体８と、この感光体８に形成された潜像を現像して顕画化する現像手段（現像ステーション２を構成する現像スリーブ１０）を有しており、これも後に詳細に説明するように、発光素子（有機エレクトロルミネッセンス素子）の光量を設定する光量設定手段（コントローラ４１に搭載されたコントローラＣＰＵ）と、発光素子（有機エレクトロルミネッセンス素子）の光量を計測する光量計測手段（上述の露光装置１３に設けられた光量センサ）を有する。
【００６０】
後述するような所定のタイミングにおいて、露光装置１３を構成する露光光源としての有機エレクトロルミネッセンス素子を発光させ、この光量を計測することで、光量ひいては感光体に対する露光量を補正しても感光体８にトナーは付着せずトナーを無駄に消費することはない。更に感光体８と接触回動する転写ローラ１６にトナーが付着し、初期化動作に引き続いて行なわれる画像形成において、転写ローラ１６に付着したトナーが記録紙３の裏面に付着して記録紙３を汚染することもなくなる。
【００６１】
この光量補正において有機エレクトロルミネッセンス素子を点灯することによって感光体８が露光された領域が現像スリーブ１０に近接し、いわゆる現像領域を通過する際、即ち有機エレクトロルミネッセンス素子の光量を計測する計測期間に露光された感光体８の領域に対しては現像スリーブ１０に印加する現像バイアスはＯＦＦにしておくことが望ましい。これによって更に効果的に感光体８へのトナー付着を防止することが可能となる。
【００６２】
＜画像形成動作＞
次に画像形成装置１の画像形成時の動作について引き続き図１に図２を併用して説明する。
【００６３】
コントローラ４１に外部からイメージ情報が転送されると、コントローラ４１はイメージ情報を印字可能な例えば２値画像データとしてイメージメモリ（図示せず）に展開する。イメージ情報の展開が完了するとコントローラ４１に搭載されたコントローラＣＰＵ（図示せず）はエンジン制御部４２に対して起動要求を発する。この起動要求はエンジン制御部４２に搭載されたエンジン制御ＣＰＵ（図示せず）によって受信され、起動要求を受信したエンジン制御ＣＰＵ（図示せず）は直ちに駆動源３８を回転させて画像形成の準備を開始する。
【００６４】
上述した過程を経て画像形成の準備が完了すると、エンジン制御部４２に搭載されたエンジン制御ＣＰＵ（図示せず）は、電磁クラッチ（図示せず）を制御して給紙ローラ１８を回転させ記録紙３の搬送を開始する。給紙ローラ１８は例えば全周の一部を欠いた半月ローラであって、記録紙３をレジストローラ１９の方向に搬送するとともに、一回転するとその回転を停止する。エンジン制御ＣＰＵ（図示せず）は搬送された記録紙３の先端が記録紙通紙センサ２１で検出すると、所定のディレイ期間を設けた上で電磁クラッチ（図示せず）を制御してレジストローラ１９を回転させる。このレジストローラの回転に伴って記録紙３は記録紙搬送路５に供給される。
【００６５】
エンジン制御ＣＰＵ（図示せず）は、このレジストローラ１９の回転を開始のタイミングを起点として、各露光装置１３Ｙ〜１３Ｋによる静電潜像の書込みタイミングをそれぞれ独立に制御する。静電潜像の書込みタイミングは画像形成装置１における色ずれなどに直接的に影響するため、この書込みタイミングはエンジン制御ＣＰＵ（図示せず）が直接発生させることはない。具体的にはエンジン制御ＣＰＵ（図示せず）は、図示しないハードウェアであるタイマなどに各露光装置１３による静電潜像の書込みタイミングを予め設定しておき、上述したレジストローラ１９の回転を起点として各露光装置１３Ｙ〜１３Ｋに対応するタイマの動作を同時に開始する。各タイマは予め設定された時間が経過すると、コントローラ４１に対して画像データ転送要求を出力する。
【００６６】
画像データ転送要求を受信したコントローラ４１のコントローラＣＰＵ（図示せず）は、コントローラ４１のタイミング生成部（図示せず）で生成されたタイミング信号（クロック信号、ライン同期信号など）に同期して２値画像データを各露光装置１３Ｙ〜１３Ｋに独立して転送する。このようにして２値画像データが露光装置１３Ｙ〜１３Ｋに送られ、この２値画像データに基づき露光装置１３Ｙ〜１３Ｋを構成する有機エレクトロルミネッセンス素子の点灯／消灯が制御され各色に対応した感光体８Ｙ〜８Ｋが露光される。
【００６７】
露光によって形成された潜像は、図２に示すように現像スリーブ１０上に供給された現像剤６に含まれるトナーによって顕画化される。顕画化された各色のトナー像は記録紙搬送路５を搬送されてきた記録紙３に順次転写される。４色のトナー像の転写を完了した記録紙３は定着器２３に搬送され、定着器２３を構成する過熱ローラ２４と加圧ローラ２５によって挟持搬送され、この熱と圧力によってトナー像は記録紙３に定着される。
【００６８】
形成されるべき画像が複数ページの場合は、エンジン制御ＣＰＵ（図示せず）は１ページ目の記録紙３の後端を記録紙通過検出センサ２１で検出した後、レジストローラ１９の回転を一旦停止し、所定の時間経過後に給紙ローラ１８を回転させて次の記録紙３の搬送を開始し、更に所定時間経過後に再度レジストローラ１９の回転を開始して、次のページの記録紙３を記録紙搬送路５に供給する。このようにレジストローラ１９の回転ＯＮ／ＯＦＦのタイミング制御によって、複数のページにわたって画像を形成する場合に記録紙３の間の紙間を設定することができる。この紙間による時間（以降紙間時間と呼称する）は画像形成装置１の仕様によっても異なるが、一般に５００ｍｓ程度を設定することが多い。もちろんこの紙間の期間には通常の画像形成動作（即ち露光装置１３による感光体８に対する露光動作）が行われることはない。
【００６９】
図３は本発明の実施形態の画像形成装置１における露光装置１３の構成図である。以降露光装置１３の構造について図３を用いて詳細に説明する。図３において５０は無色透明なガラス基板である。本実施形態ではガラス基板５０としてコスト的に有利なホウケイ酸ガラスを用いているが、発光素子やガラス基板５０上に薄膜トランジスタにより形成される制御回路、駆動回路などの発熱をより効率的に放熱する必要がある場合にはＭｇＯ、Ａｌ2Ｏ3、ＣａＯ、ＺｎＯなどの熱伝導度加成因子を含有するガラス、または石英を用いてもよい。
【００７０】
ガラス基板５０の面Ａには発光素子として有機エレクトロルミネッセンス素子が図面と垂直な方向（主走査方向）に６００ｄｐｉ（dot／inch）の解像度で形成されている。５１はプラスティックまたはガラスで構成される棒レンズ（図示せず）を列状に配置したレンズアレイであり、ガラス基板５０の面Ａに形成された有機エレクトロルミネッセンス素子の出射光を正立等倍の像として感光体８の表面に導く。レンズアレイ５１の一方の焦点はガラス基板５０の面Ａであり、もう一方の焦点は感光体８の表面となるようにガラス基板５０、レンズアレイ５１、感光体８の位置関係が調整されている。即ち面Ａからレンズアレイ５１の近い方の面までの距離Ｌ１と、レンズアレイ５１の他方の面と感光体８の表面までの距離Ｌ２とするとき、Ｌ１＝Ｌ２となるように設定される。
【００７１】
５２は例えばガラスエポキシ基板の上に電子回路を構成した中継基板である。５３ａはコネクタＡ、５３ｂはコネクタＢであり、中継基板５２には少なくともコネクタＡ ５３ａおよびコネクタＢ ５３ｂが実装されている。中継基板５２は例えばフレキシブルフラットケーブルなどのケーブル５６によって露光装置１３に外部から供給される画像データや光量補正データ、およびその他の制御信号をコネクタＢ ５３ｂを介して一旦中継し、これらの信号をガラス基板５０に渡す。
【００７２】
ガラス基板５０の表面にコネクタを直接実装することは接合強度や多様な環境における信頼性を考慮すると困難であるため、本実施形態では中継基板５２のコネクタＡ ５３ａとガラス基板５０との接続手段としてＦＰＣ（Flexible Printed Circuit；フレキシブルプリント回路）を採用し（図示せず）、ガラス基板５０とＦＰＣの接合は例えばＡＣＦ（Anisotropic Conductive Film；異方性導電フィルム）を用いて、予めガラス基板５０上に形成された例えばＩＴＯ（Indium Tin Oxide；錫ドープ酸化インジウム）電極に直接接続する構成としている。
【００７３】
一方コネクタＢ ５３ｂは、露光装置１３を外部と接続するためのコネクタである。一般的にＡＣＦなどによる接続は接合強度が問題となる場合が多いが、このように中継基板５２上にユーザが露光装置１３を接続するためのコネクタＢ ５３ｂを設けることで、ユーザが直接アクセスするインタフェースに十分な強度を確保することができる。
【００７４】
５４ａは筐体Ａであり金属板を例えば折り曲げ加工により成型したものである。筐体Ａ ５４ａの感光体８に対向する側にはＬ字状部位５５が形成されており、Ｌ字状部位５５に沿ってガラス基板５０およびレンズアレイ５１が配設されている。筐体Ａ ５４ａの感光体８側の端面とレンズアレイ５１の端面を同一面に合わせ、更に筐体Ａ ５４ａによってガラス基板５０の一端部を支持する構造とすることで、Ｌ字状部位５５の成型精度を確保すれば、ガラス基板５０とレンズアレイ５１の成す位置関係を精度よく合わせ込むことが可能となる。このように筐体Ａ ５４ａは寸法精度を要求されるため、金属にて構成することが望ましい。また筐体Ａ ５４ａを金属製とすることで、ガラス基板５０上に形成される制御回路およびガラス基板５０上に表面実装されるＩＣチップなどの電子部品へのノイズの影響を抑制することが可能である。
【００７５】
５４ｂは樹脂を成型して得られる筐体Ｂである。筐体Ｂ ５４ｂのコネクタＢ ５３ｂの近傍には切欠き部（図示せず）が設けられており、ユーザはこの切欠き部からコネクタＢ ５３ｂにアクセスが可能となっている。コネクタＢ ５３ｂに接続されたケーブル５６を介して既に説明したコントローラ４１（図１参照）から露光装置１３に画像データ、光量補正データ、クロック信号やライン同期信号などの制御信号、制御回路の駆動電源、発光素子である有機エレクトロルミネッセンス素子の駆動電源などが供給される。
【００７６】
図４（ａ）は本発明の実施形態の画像形成装置１における露光装置１３に係るガラス基板５０の上面図であり、図４（ｂ）は同要部拡大図である。以降図４に図３を併用して実施形態におけるガラス基板５０の構成について詳細に説明する。
【００７７】
図４においてガラス基板５０は厚みが約０．７ｍｍの、少なくとも長辺と短辺を有する長方形形状の基板であり、その長辺方向（主走査方向）には発光素子である複数の有機エレクトロルミネッセンス素子６３が列状に形成されている。実施形態ではガラス基板５０の長辺方向には少なくともＡ４サイズ（２１０ｍｍ）の露光に必要な有機エレクトロルミネッセンス素子６３が配置され、ガラス基板５０の長辺方向は後述する駆動制御部５８の配置スペースを含め２５０ｍｍとしている。また実施形態では簡単のためにガラス基板５０を長方形として説明するが、ガラス基板５０を筐体Ａ ５４ａに取り付ける際の位置決め用などのために、ガラス基板５０の一部に切り欠きを設けるような変形を伴っていてもよい。
【００７８】
５８はガラス基板５０の外部から供給される２値画像データ、光量補正データおよびクロック信号やライン同期信号などの制御信号を受け取り、これらの信号に基づいて有機エレクトロルミネッセンス素子６３の駆動を制御する駆動制御部であり、これらの信号をガラス基板５０の外部から受け取るインタフェース手段とインタフェース手段を介して受け取った制御信号に基づき有機エレクトロルミネッセンス素子６３の駆動を制御するＩＣチップ（ソースドライバ６１）を含んでいる。
【００７９】
６０は中継基板５２のコネクタＡ ５３ａとガラス基板５０とを接続するインタフェース手段としてのＦＰＣ（フレキシブルプリント回路）であり、コネクタなどを介さずガラス基板５０に設けられた図示しない回路パターンに直接接続されている。既に説明したように露光装置１３に外部から供給された、２値画像データ、光量補正データおよびクロック信号やライン同期信号などの制御信号、制御回路の駆動電源、発光素子である有機エレクトロルミネッセンス素子６３の駆動電源は、図３に示す中継基板５２を一旦経由した後にＦＰＣ６０を介してガラス基板５０に供給される。
【００８０】
６３は有機エレクトロルミネッセンス素子であり、露光装置１３における露光光源である。実施形態では有機エレクトロルミネッセンス素子６３は主走査方向に６００ｄｐｉの解像度で５１２０個が列状に形成されており、個々の有機エレクトロルミネッセンス素子６３はそれぞれ独立に後述のＴＦＴ回路によって点灯／消灯を制御される。
【００８１】
６１は有機エレクトロルミネッセンス素子６３の駆動を制御するＩＣチップとして供給されるソースドライバであり、ガラス基板５０上にフリップチップ実装されている。ガラス面へ表面実装を行なうことを考慮しソースドライバ６１はベアチップ品を採用している。ソースドライバ６１には露光装置１３の外部からＦＰＣ６０を介して電源、クロック信号、ライン同期信号などの制御関連信号および８ｂｉｔの光量補正データが供給される。ソースドライバ６１は有機エレクトロルミネッセンス素子６３に対する駆動電流設定手段である。より具体的には、有機エレクトロルミネッセンス素子６３の光量補正手段であり光量設定手段でもある、コントローラ４１（図１参照）に搭載されたコントローラＣＰＵ（図示せず）によって生成された光量補正データに基づいて、ソースドライバ６１は個々の有機エレクトロルミネッセンス素子６３を駆動するための駆動電流を設定する。光量補正データに基づくソースドライバ６１の動作については後に詳細に説明する。
【００８２】
ガラス基板５０においてＦＰＣ６０の接合部とソースドライバ６１は、例えば表面にメタルを形成したＩＴＯの回路パターン（図示せず）を介して接続されており、駆動電流設定手段たるソースドライバ６１にはＦＰＣ６０を介して光量補正データ、クロック信号、ライン同期信号などの制御信号が入力される。このようにインタフェース手段としてのＦＰＣ６０および駆動パラメータ設定手段としてのソースドライバ６１は駆動制御部５８を構成している。
【００８３】
６２はガラス基板５０上に形成されたＴＦＴ（Thin Film Transistor）回路である。ＴＦＴ回路６２はシフトレジスタ、データラッチ部など、有機エレクトロルミネッセンス素子６３の点灯／消灯のタイミングを制御するゲートコントローラ（図示せず）、および個々の有機エレクトロルミネッセンス素子６３に駆動電流を供給する駆動回路（図示せず、以降ピクセル回路と呼称する。）を含むとともに、さらには後述する光量センサ５７をＯＮ・ＯＦＦさせるスイッチング回路（選択信号発生回路１４０）を含んでいる。ピクセル回路は各有機エレクトロルミネッセンス素子６３に対して１つずつ設けられ、有機エレクトロルミネッセンス素子６３が形成する発光素子列と並列に設けられている。駆動パラメータ設定手段であるソースドライバ６１によって、個々の有機エレクトロルミネッセンス素子６３を駆動するための駆動電流値がこのピクセル回路に設定される。
【００８４】
ＴＦＴ回路６２を構成するゲートコントローラ（図示せず）には露光装置１３の外部からＦＰＣ６０を介して電源、クロック信号、ライン同期信号などの制御信号および２値画像データが供給され、ゲートコントローラ（図示せず）はこれらの電源および信号に基づいて個々の発光素子の点灯／消灯タイミングを制御する。ゲートコントローラおよびピクセル回路（ともに図示せず）の動作については後に図面を用いて詳細に説明する。また、ＴＦＴ回路６２のセンサ側の構成については後に詳述する。
【００８５】
６４は封止ガラスである。有機エレクトロルミネッセンス素子６３は水分の影響を受けると発光領域の経時的な収縮（シュリンキング）や、発光領域内に非発光部位（ダークスポット）が生じるなどして発光特性が極端に劣化するため、水分を遮断するための封止が必要である。実施形態ではガラス基板５０に接着剤を介して封止ガラス６４を貼り付けるベタ封止法を採用しているが、封止領域は一般に有機エレクトロルミネッセンス素子６３が構成する発光素子列から副走査方向に２０００μｍ程度が必要とされており、実施形態でも封止しろとして２０００μｍを確保している。
【００８６】
５７は、有機エレクトロルミネッセンス素子６３の図４（ｂ）における）上面に形成された光量センサである。この光量センサ５７によって個々の有機エレクトロルミネッセンス素子６３の光量が計測される。計測に際しては原則的には有機エレクトロルミネッセンス素子６３を一つ一つ個別に点灯して光量を計測する必要があるが、計測の対象となる有機エレクトロルミネッセンス素子６３から十分に離間した光量センサには、その発光の影響が殆どない（有機エレクトロルミネッセンス素子６３からの出射光が減衰してしまう）ことから、実施形態では光量センサ５７を複数の光量センサで構成することで複数の有機エレクトロルミネッセンス素子６３の光量を同時に計測することを可能としている。
【００８７】
本実施形態においては、有機エレクトロルミネッセンス素子６３、ＴＦＴ回路６２、光量センサ５７は、ポリシリコンのモノシリックデバイスとして、集積化して形成されている。すなわち、ＴＦＴ回路６２を構成する低温ポリシリコンの光透過率は比較的高いため、ガラス基板５０側から露光光を取り出すいわゆるボトムエミッション構成であっても、個々の有機エレクトロルミネッセンス素子６３と対応する光量センサ５７を、ＴＦＴ回路６２に隣接させ、埋設させることができる。この場合の光量センサは個々の有機エレクトロルミネッセンス素子６３の発光面の直下全面に形成されるが、その一部に対応して形成してもよい。
【００８８】
複数の光量センサ５７の出力は図示しない配線によって、既述したソースドライバ６１に入力される。後述する光量センサの出力（光量センサ出力）は、ソースドライバ６１において電荷蓄積法による電圧変換を施され、更に所定の増幅率で増幅された後にアナログ−ディジタル変換され、このディジタル変換後のディジタルデータ（以降、光量計測データと呼称する）が、ＦＰＣ６０、中継基板５２、ケーブル５６（ともに図３参照）を介して露光装置３３の外部に出力される。後に詳細に説明するように光量計測データはコントローラ４１（図１参照）に搭載されたコントローラＣＰＵ（図示せず）にて受信、処理されて８ｂｉｔの光量補正データが生成される。
【００８９】
図５は本発明の実施形態の画像形成装置１におけるコントローラ４１の構成を示すブロック構成図である。以降図５を用いてコントローラ４１の動作を説明するとともに、光量補正について更に詳細に説明する。
【００９０】
図５において８０はコンピュータである。コンピュータ８０はネットワーク８１に接続され、ネットワーク８１を経由してコントローラ４１にイメージ情報や印字枚数や印字モード（例えばカラー／モノクロ）などのプリントジョブ情報を転送する。８２はネットワークインタフェースである。コントローラ４１はネットワークインタフェース８２を介してコンピュータ８０から転送されたイメージ情報やプリントジョブ情報を受信し、イメージ情報を印字可能な２値画像データに展開するとともに、逆に画像形成装置側で検出されたエラー情報などをいわゆるステータス情報としてネットワーク８１経由でコンピュータ８０に送信する。
【００９１】
８３はコントローラＣＰＵであり、ＲＯＭ８４に格納されたプログラムに基づきコントローラ８０の動作を制御する。８５はＲＡＭでありコントローラＣＰＵ８３のワークエリアとして使用されるとともに、ネットワークインタフェース８２を介して受信したイメージ情報やプリントジョブ情報などが一時的に記憶される。
【００９２】
８６は画像処理部である。画像処理部８６ではコンピュータ８０から転送されたイメージ情報とプリントジョブ情報に基づき、ページ単位に画像処理（例えばプリンタ言語に基づくイメージ展開処理、色補正、エッジ補正、スクリーン生成など）を行って印字可能な２値画像データを生成し、これをページ単位にイメージメモリ６５に格納する。
【００９３】
６６は例えばＥＥＰＲＯＭなど書き換え可能な不揮発性メモリによって構成された光量補正データメモリである。
【００９４】
図６は本発明の実施形態の画像形成装置１における光量補正データメモリの内容を示す説明図である。
【００９５】
以降図６を用いて光量補正データメモリにおけるデータ構造およびデータの内容について説明する。
【００９６】
図６に示すように光量補正データメモリ６６は第１エリアから第３エリアの三つの領域を有している。それぞれの領域は露光装置１３（図３参照）を構成する有機エレクトロルミネッセンス素子６３（図４参照）の個数と等しい５１２０個の８ｂｉｔのデータを含み、合計１５３６０バイトを占有している。
【００９７】
まず第１エリアに格納されているデータＤＤ［０］〜ＤＤ［５１１９］について図６に図３と図４を併用して説明する。
【００９８】
既に説明した露光装置１３（図３参照）は、その製造工程において露光装置１３を構成する個々の有機エレクトロルミネッセンス素子６３（図４参照）の光量を調整する工程を含んでいる。この工程において露光装置１３は所定の治具（図示せず）に取り付けられ、露光装置１３の外部から供給される制御信号に基づいて、有機エレクトロルミネッセンス素子６３が個別に点灯制御される。
【００９９】
更に治具（図示せず）に設けられたＣＣＤカメラによって、感光体８（図３参照）の像面位置における個々の有機エレクトロルミネッセンス素子６３の二次元の露光量分布が計測される。治具（図示せず）はこの露光量分布に基づき感光体８上に形成される潜像の電位分布を計算し、更に実際の現像条件（現像バイアス値）に基づいてトナー付着量との相関が高い潜像断面積を計算する。治具（図示せず）では有機エレクトロルミネッセンス素子６３を駆動するための駆動電流値を変化させ｛既に説明したようにソースドライバ６１（図４参照）を介してＴＦＴ回路６２（図４参照）を構成するピクセル回路にアナログ値をプログラムすることで有機エレクトロルミネッセンス素子６３を駆動する電流値を設定することができる。｝個々の有機エレクトロルミネッセンス素子６３によって形成される潜像断面積のどれもが略等しくなるような駆動電流値、即ちピクセル回路への設定値（制御する観点からはソースドライバ６１への設定データ）を抽出する。
【０１００】
さて有機エレクトロルミネッセンス素子６３の発光面積および発光面内における発光光量分布が等しく、かつ通常の現像条件を想定した場合、上述の潜像断面積は露光量とほぼ比例する。更に「露光時間を一定としたときの（発光）光量」と「露光量」は同義であり、また一般的に有機エレクトロルミネッセンス素子６３の発光光量と駆動電流値（即ちピクセル回路への設定値）は比例するから、全てのピクセル回路への駆動電流設定を同一とした上で個々の有機エレクトロルミネッセンス素子６３の発光光量を一度計測することで、各有機エレクトロルミネッセンス素子６３による潜像断面積を一定にするピクセル回路への設定値（前述のごとくソースドライバ６１への設定データ）を計算によって求めることも可能である。
【０１０１】
光量補正データメモリ６６の第１エリアには、このようにして求めたソースドライバ６１への設定データが格納されている。その個数は前述のごとく露光装置１３を構成する有機エレクトロルミネッセンス素子６３の個数と等しい（即ちピクセル回路の個数とも等しい）５１２０個である。このように光量補正データメモリ６６の第１エリアには「初期状態において個々の有機エレクトロルミネッセンス素子６３によって形成される潜像断面積を等しくするためのソースドライバ６１の設定値」が格納されている。
【０１０２】
次に第２エリアに格納されているデータＩＤ［０］〜ＩＤ［５１１９］について図６に図３と図４を併用して説明する。
【０１０３】
治具は第１エリアに格納されるデータを取得するとの同時に、露光装置１３のソースドライバ６１（図４参照）を介して光量センサ５７（図４参照）の出力に基づく８ｂｉｔの光量計測データを取得する。これによって「初期状態において個々の有機エレクトロルミネッセンス素子６３によって形成される潜像断面積を等しくした際の光量計測データ」を取得できる。第２エリアにはこの８ｂｉｔの光量計測データＩＤ［ｎ］が格納されている。
【０１０４】
さて治具によってＩＤ［ｎ］を取得する際の有機エレクトロルミネッセンス素子６３の駆動条件は、光量計測時と同等にしておく必要があり、実施形態では後述するように画像形成装置１の１ライン期間（ラスタ期間）である３５０μｓを複数回適用して総計約３０ｍｓの点灯期間を付与している。
【０１０５】
このようにして露光装置１３の製造工程において第１エリアおよび第２エリアに格納されるデータが取得され、これらのデータは図示しない電気的な通信手段によって治具から光量補正データメモリ６６に書き込まれる。
【０１０６】
次に第３エリアに格納されているデータＮＤ［０］〜ＮＤ［５１１９］について図６に図３と図４および図５を併用して説明する。
【０１０７】
本発明の実施形態に係る画像形成装置１は、光量計測手段としての光量センサ５７による計測結果に基づき、有機エレクトロルミネッセンス素子６３の各々の光量を略等しく補正する光量補正手段（光量補正部）｛コントローラＣＰＵ８３（図５参照）｝を有し、この光量補正手段の出力に基づいて、光量設定手段（同じくコントローラＣＰＵ８３）は画像形成を行なう際の各有機エレクトロルミネッセンス素子６３の光量を設定する。第３エリアには光量補正手段たるコントローラＣＰＵ８３によって画像形成を行なう際の各有機エレクトロルミネッセンス素子６３の光量の設定値、即ち光量補正データが書き込まれる。
【０１０８】
実施形態の画像形成装置１では、画像形成装置１の初期化動作、画像形成動作の起動時、紙間、画像形成動作の完了時など、後述するような所定のタイミングにおいて、露光装置１３を構成する有機エレクトロルミネッセンス素子６３の光量を計測することは既に述べたとおりである。コントローラＣＰＵ８３はこれらの時点で計測された光量計測データと、露光装置１３の製造工程において第１エリアに格納された「初期状態において個々の有機エレクトロルミネッセンス素子６３によって形成される潜像断面積を等しくするためのソースドライバ６１の設定値」と、同じく露光装置１３の製造工程において第２エリアに格納された「初期状態において個々の有機エレクトロルミネッセンス素子６３によって形成される潜像断面積を等しくした際の光量計測データ」とに基づいて光量補正データを生成する。すなわち、コントローラＣＰＵ８３は、光量センサ５７によって検出された有機エレクトロルミネッセンス素子６３の光量を参照し、当該素子の光量を補正する光量補正部として機能する。
【０１０９】
以降コントローラＣＰＵ８３による光量補正データの計算内容について説明するが、光量計測時の光量を画像形成時と等しくしたと想定して説明する。
【０１１０】
第１エリアに格納された「初期状態において個々の有機エレクトロルミネッセンス素子６３によって形成される潜像断面積を等しくするためのソースドライバ６１の設定値」をＤＤ［ｎ］（ｎは主走査方向における個々の有機エレクトロルミネッセンス素子番号、以下同じ）、第２エリアに格納された「初期状態において個々の有機エレクトロルミネッセンス素子６３によって形成される潜像断面積を等しくした際の光量計測データ」をＩＤ［ｎ］、初期化動作などにおいて新たに計測された光量計測データをＰＤ［ｎ］とするとき、第３のエリアに書き込まれる新たな光量補正データＮＤ［ｎ］は（数１）に基づきコントローラＣＰＵ８３によって生成される。尚、光量計測データＩＤ［ｎ］は、計測された有機エレクトロルミネッセンス素子の光量に該当するが、光量補正データＮＤ［ｎ］は、ソースドライバ６１に設定される個々の素子に流される電流値に該当する。
【０１１１】
【数１】
2007283598.tif 000003
【０１１２】
このようにして生成された光量補正データＮＤ［ｎ］は一旦光量補正データメモリ６６（図５参照）の第３エリアに書き込まれる。以降画像形成に先立って光量補正データＮＤ［ｎ］は光量補正データメモリ６６からイメージメモリ６５（図５参照）の所定の領域にコピーされる。画像を形成するにあたってイメージメモリ６５にコピーされた光量補正データＮＤ［ｎ］は、２値画像データとともに後述するバッファメモリ８８（図５参照）に一時的に蓄積され、プリンタインタフェース８７（図５参照）を介してエンジン制御部４２（図５参照）に出力される。
【０１１３】
光量計測データはソースドライバ６１において電荷蓄積法による電圧変換を施される。電荷蓄積法はＳＮ比を向上させるために有効であるが、光量センサ５７（図４参照）の出力（電流値）は微小であるため、電荷蓄積にはある程度の蓄積時間を必要とする。これについては後述する。
【０１１４】
以降図５に戻って説明を続ける。
【０１１５】
８８はバッファメモリであり、イメージメモリ６５に格納された２値画像データおよび前述の光量補正データは、エンジン制御部４２への転送にあたって一旦バッファメモリ８８に蓄積される。バッファメモリ８８はイメージメモリ６５からバッファメモリ８８への転送速度と、バッファメモリ８８からエンジン制御部４２へのデータ転送速度の差を吸収するため、いわゆるデュアルポートＲＡＭによって構成されている。
【０１１６】
８７はプリンタインタフェースである。イメージメモリ６５に格納されたページ単位の２値画像データおよび光量補正データは、タイミング生成部６７が生成するクロック信号やライン同期信号と同期してプリンタインタフェース８７を介してエンジン制御部４２に転送される。
【０１１７】
図７は本発明の実施形態の画像形成装置１におけるエンジン制御部４２の構成を示すブロック構成図である。以降図７に図１を併用してエンジン制御部４２の動作を詳細に説明する。
【０１１８】
図７において９０はコントローラインタフェースである。コントローラインタフェース９０は、コントローラ４１から転送される光量補正データ、ページ単位の２値画像データなどを受信する。
【０１１９】
９１はエンジン制御ＣＰＵであり、ＲＯＭ９２に格納されたプログラムに基づき画像形成装置１における画像形成動作を制御している。９３はＲＡＭでありエンジン制御ＣＰＵ９１が動作する際のワークエリアとして使用される。９４はＥＥＰＲＯＭなどのいわゆる書き換え可能な不揮発性メモリである。不揮発性メモリ９４には例えば画像形成装置１の感光体８の回転時間、定着器２３（図１参照）の動作時間など、構成要素の寿命に関する情報が格納されている。
【０１２０】
９５はシリアルインタフェースである。記録紙通過検出センサ２１（図１参照）や記録紙後端検出センサ２８（図１参照）などのセンサ群からの情報や電源監視部４４（図１参照）の出力は、図示しないシリアル変換手段によって所定の周期のシリアル信号に変換され、シリアルインタフェース９５で受信される。シリアルインタフェース９５で受信されたシリアル信号はパラレル信号に変換された後にバス９９を介してエンジン制御ＣＰＵ９１に読取られる。
【０１２１】
一方給紙ローラ１８や駆動源３８（ともに図１参照）の起動・停止、給紙ローラ１８（図１参照）に対する駆動力伝達を制御する電磁クラッチ（図示せず）などのアクチュエータ群９６に対する制御信号や、現像バイアス、転写バイアス、帯電電位などの電位設定を管理する高圧電源制御部９７に対する制御信号などは、パラレル信号としてシリアルインタフェース９５に送られる。シリアルインタフェース９５ではパラレル信号をシリアル信号に変換してアクチュエータ群９６、高圧電源制御部９７に出力する。このように実施形態では高速に検出する必要のないセンサ入力やアクチュエータ制御信号の出力は全てシリアルインタフェース９５を介して行っている。一方ある程度の高速性が要求される例えばレジストローラ１９を駆動／停止させるための制御信号はエンジン制御ＣＰＵ４２の出力端子に直接接続されている。
【０１２２】
９８はシリアルインタフェース９５に接続された操作パネルである。ユーザが操作パネル９８に対して行なった指示はシリアルインタフェース９５を介してエンジン制御ＣＰＵ９１によって認識される。尚、実施形態ではユーザの指示を入力する指示入力手段としての操作パネルを有し、この操作パネルへの入力に基づいて、露光装置１３を構成する有機エレクトロルミネッセンス素子６３の光量を計測し、光量を補正するようにしてもよい。この指示は外部のコンピュータなどからコントローラ４１を経由して与えることももちろん可能である。具体的な使用態様としては、例えば大量の印字を行なった際にユーザが印字面に濃度ムラを発見したような場合に、ユーザが光量の補正を強制的に行なって画質確保を図るような場合が想定される。画像形成装置１が待機中であればユーザはいつでも強制的な光量補正の実行を指示することが可能であるし、画像形成時であっても画像形成装置１をオフラインに遷移させ画像形成を一時的に保留することで、ユーザは光量補正の実行を指示することができる。
【０１２３】
いずれにしても指示手段としての操作パネル９８などから光量の補正要求が入力されると、エンジン制御ＣＰＵ９１は＜初期化動作＞で説明したように、画像形成装置１の構成要素の駆動を開始し、コントローラ４１に対して光量補正用のダミーイメージ情報の作成要求を出力する。この要求に基づきコントローラ４１に搭載されたコントローラＣＰＵ８３は光量補正用のダミーイメージ情報を生成し、これに基づいて露光装置１３を構成する有機エレクトロルミネッセンス素子６３は点灯制御される。このときに上述した露光装置１３に設けられた光量センサ５７で、個々の有機エレクトロルミネッセンス素子６３の光量を検出し、この光量の検出結果に基づいて個々の有機エレクトロルミネッセンス素子６３の光量が略等しくなるように光量の補正を行なう。
【０１２４】
次に有機エレクトロルミネッセンス素子６３の光量を計測する際の動作について、図７に図１、図５および図６を併用して詳細に説明する。
【０１２５】
光量の補正は、後述するように画像形成装置１の起動直後の初期化動作、印字開始前、紙間、印字開始後、操作パネル９８などによるユーザ指定時のタイミングで行なわれるが、簡単のために画像形成装置１の初期化動作時点で光量の計測を実行する場合について説明する。また実施形態の画像形成装置１はフルカラー画像を形成可能に構成されたものであり、既に説明したように４色に対応した露光装置１３Ｙ〜１３Ｋ（図１参照）を有しているが、これも簡単のために１色に対する動作のみを説明し、露光装置１３のように記載する。また以下に示す状況において例えば駆動源３８（図１参照）や現像ステーション２（図２参照）などは、＜初期化動作＞にて既に詳細を示したように既に起動されているものとする。
【０１２６】
画像形成装置１において画像形成動作を管理しているのはエンジン制御部４２であるため、光量の補正シーケンスはエンジン制御部４２のエンジン制御ＣＰＵ９１によって起動される。まずエンジン制御ＣＰＵ９１はコントローラ４１に対して、画像形成に係る正規の２値画像データとは異なるダミーイメージ情報の作成要求を出力する。
【０１２７】
エンジン制御部４２とコントローラ４１は双方向のシリアルインタフェース（図示せず）で接続されており、リクエストコマンド（要求）およびこれに対するアクノリッジ（応答情報）を相互にやり取りすることができる。エンジン制御ＣＰＵ９１が発するダミーイメージ情報の作成要求は、この双方向のシリアルインタフェース（図示せず）を用いてバス９９を経由しコントローラインタフェース９０からコントローラ４１に出力される。
【０１２８】
この要求に基づいてコントローラ４１に搭載されたコントローラＣＰＵ８３はダミーイメージ情報、即ち光量の計測に用いる２値画像データをイメージメモリ６５に直接的に作成する。更にコントローラＣＰＵ８３は光量補正データメモリ６６の第１エリア（図６参照）に格納された「初期状態において個々の有機エレクトロルミネッセンス素子６３によって形成される潜像断面積を等しくするためのソースドライバ６１の設定値」ＤＤ［ｎ］（ｎ：０〜５１１９）を読出し、この値をイメージメモリ６５の所定領域に書き込む。これらの処理を完了するとコントローラＣＰＵ８３はプリンタインタフェース８７を介して応答情報をエンジン制御部４２に出力する。
【０１２９】
さて上述の応答情報を受信したエンジン制御部４２のエンジン制御ＣＰＵ９１は、直ちに露光装置１３に対して書込みタイミングを設定する。即ちエンジン制御ＣＰＵ９１は図示しないハードウェアであるタイマなどに露光装置１３による静電潜像の書込みタイミングを設定し、応答情報を受信したら直ちにタイマの動作を開始する（この機能はもともと複数の露光装置１３の色毎の起動タイミングを定めるためのものである。光量の計測においてはこのような厳密なタイミング設定は不要であり、例えばタイマに０を設定してもよい）。各タイマは予め設定された時間が経過すると、コントローラ４１に対して画像データ転送要求を出力する。画像データ転送要求を受信したコントローラ４１はコントローラインタフェース９０を介してタイミング生成部６７で生成されたタイミング信号（クロック信号、ライン同期信号など）に同期して２値画像データを露光装置１３に転送する。これと同時に既にイメージメモリ６５に書き込まれた光量の設定値も上述のタイミング信号に同期して露光装置１３に転送される。
【０１３０】
このようにタイミング信号に同期して転送された２値画像データは露光装置１３のＴＦＴ回路６２に入力され、同時に光量の設定値は露光装置１３のソースドライバ６１に入力される。露光装置１３では入力された２値画像データ、即ちＯＮ／ＯＦＦ情報に基づいて該当する有機エレクトロルミネッセンス素子６３の点灯と消灯が制御される。そしてこのときの個々の有機エレクトロルミネッセンス素子６３の光量は光量センサ５７で計測される。
【０１３１】
以上述べたようにして有機エレクトロルミネッセンス素子６３の点灯が制御され、その光量が光量センサ５７によって計測される。光量センサ５７の出力（アナログ電流値）はソースドライバ６１において電荷蓄積法によって電圧に変換され、所定の増幅率で増幅された後、アナログ−ディジタル変換を施されて８ｂｉｔの光量計測データ（ディジタルデータ）としてソースドライバ６１から出力される。
【０１３２】
ソースドライバ６１から出力された光量計測データはコントローラインタフェース９０を経由してエンジン制御部４２からコントローラ４１に転送され、コントローラ４１のコントローラＣＰＵ８３によって受信される。
【０１３３】
図８は本発明の実施形態の画像形成装置１における露光装置１３の回路図である。以降図８を用いてＴＦＴ回路６２およびソースドライバ６１による点灯制御についてより詳細に説明する。
【０１３４】
ＴＦＴ回路６２はピクセル回路６９とゲートコントローラ６８とに大別されている。ピクセル回路６９は個々の有機エレクトロルミネッセンス素子６３に対して一つずつ設けられており、有機エレクトロルミネッセンス素子６３のＭ画素分を一つのグループとしてガラス基板５０上にＮグループ設けられている。
【０１３５】
実施形態においては一つのグループを８画素（即ちＭ＝８）とし、このグループを６４０個としている。従って全画素数は８×６４０＝５１２０画素となる。各ピクセル回路６９は有機エレクトロルミネッセンス素子６３に電流を供給して駆動するドライバ部７０と、有機エレクトロルミネッセンス素子６３を点灯制御するにあたってドライバが供給する電流値（即ち有機エレクトロルミネッセンス素子６３の駆動電流値）を内部に含むコンデンサに記憶させる、いわゆるプログラム部７１を有しており、予め所定のタイミングでプログラムされた駆動電流値に従って有機エレクトロルミネッセンス素子６３を定電流駆動することができる。ここでのプログラム部７１は、図１０（ａ）で示した電流プログラム方式の場合は、電流プログラム部として機能するが、図１０（ｂ）で示した電圧プログラム方式の場合は、電圧プログラム部として機能する。
【０１３６】
ゲートコントローラ６８は入力された２値画像データを順次シフトするシフトレジスタと、シフトレジスタと並列に設けられシフトレジスタに所定の画素数の入力が完了した後にこれらを一括して保持するラッチ部と、これらの動作タイミングを制御する制御部からなる（共に図示せず）。ゲートコントローラ６８はコントローラ４１から２値画像データ（画像形成時はコントローラ４１によって変換されたイメージ情報、光量計測時はコントローラ４１によって変換されたダミーイメージ情報）を渡され、この２値画像データ即ちＯＮ／ＯＦＦ情報に基づいてＳＣＡＮ＿Ｂ信号を出力し、これによってピクセル回路６９に接続された有機エレクトロルミネッセンス素子６３の点灯／消灯を行なう期間を制御する。一方、ＳＣＡＮ＿Ａ信号は、この２値データとは関係なく所定のタイミングでＯＮ／ＯＦＦし、駆動電流を設定する電流プログラム期間のタイミングを制御する。
【０１３７】
一方ソースドライバ６１は内部に有機エレクトロルミネッセンス素子６３のグループ数Ｎに相当する数（実施形態では６４０個）のＤ／Ａコンバータ７２を有している。ソースドライバ６１はＦＰＣ６０を介して供給された８ｂｉｔの光量補正データに基づいて、個々の有機エレクトロルミネッセンス素子６３に対する駆動電流を設定する。
【０１３８】
＜ＥＬ駆動制御構成＞
次に本発明の主題であるＥＬ駆動制御の詳細について説明する。本発明においては発光素子たる有機エレクトロルミネッセンス素子６３の発光制御に工夫を凝らすことにより、プログラム時間の短縮が達成され、画像形成装置の印字速度、印刷速度の更なる高速化を達成し得る。尚、本発明は有機エレクトロルミネッセンス素子のみならず、他の発光素子にも適用可能である。
【０１３９】
図９は図８のうちＴＦＴ回路６２（ゲートコントローラ６８を除く）及びソースドライバ６１をより詳細に示したものである。ここで、ＴＦＴ回路全体を「ドライバ回路」と呼ぶが、エレクトロルミネッセンス素子６３各々を駆動する最小単位の回路であるピクセル回路６９も「ドライバ回路」と呼ばれる。また、区別のために便宜的に「駆動エレメント６９」とも呼ばれることがある。尚、本実施形態では、発光素子たる有機エレクトロルミネッセンス素子６３を一つ含み、当該一つの発光素子を駆動制御するピクセル回路の単位を「画素」と呼ぶ。また、発光素子を駆動するという機能の観点から、ドライバ回路が発光素子駆動装置としての役割を果たす。
【０１４０】
ソースドライバ６１の１出力は、８画素分（８のピクセル回路）のプログラムを担っている。すなわち、全画素が８画素単位で１つのグループに分けられ、グループ単位でグループに属する各素子にソースドライバ６１からプログラム動作命令が出される。すなわち、グループ数は６４０となり、ソースドライバ６１には６４０個のＤ／Ａコンバータ７２が搭載され、計６４０本のソースドライバ信号線がＴＦＴ回路６２に接続されている。
【０１４１】
ここで、図１０を用いてピクセル回路（サブドライバ回路）について説明する。図１０は、図９のピクセル回路（サブドライバ回路）６９の拡大図を示す。ここで、図１０（ａ）に示した例は、いわゆる「電流プログラム方式」により駆動されるピクセル回路であり、図８、図９に示したものと同じ構成を有する。一方、図１０（ｂ）に示した例は、いわゆる「電圧プログラム方式」により駆動されるピクセル回路であり、図８、図９に示したものと若干異なる構成を有するが、制御思想はほぼ同じである。尚、本図の説明では、ＳＣＮＡ＿Ｇ＊を単に「ＳＣＮＡ信号」と称し、ＳＣＮＢ＿Ｐ＊を単に「ＳＣＮＢ信号」と称することがある。
【０１４２】
図１０（ａ）に示したピクセル回路は、５個のトランジスタＴｒ１〜Ｔｒ５と、容量素子Ｃｓと、有機エレクトロルミネッセンス素子６３（以下「ＥＬ」と呼ぶ）とを備える。互いに並列接続されたＴｒ１とＣｓは、電源Ｖｓに接続されている。また、Ｔｒ２は、Ｔｒ１、Ｃｓに直列接続されている。Ｔｒ３は、Ｔｒ１に中間接続点を介して直列接続され、Ｔｒ２の上段に接続されている。Ｔｒ２、Ｔｒ３にはＳＣＮＡ信号が入力される。また、Ｔｒ４はＴｒ１とＴｒ３の接続中間点に接続され、さらにＴｒ４は、互いに並列接続されたＴｒ５とＥＬに直列接続されている。そして、Ｔｒ４、Ｔｒ５にはＳＣＮＢ信号が入力される。Ｔｒ５とＥＬは、Ｔｒ４の反対側で接地されている（ＧＮＤ）。さらにＴｒ３には、ソースドライバ６１のＤ／Ａコンバータ７２から出力されたＩｐ（プログラム電流）が入力される。図８で示したドライバ部７０はＴｒ４（第１のトランジスタ）とＴｒ５（第２のトランジスタ）より構成され、プログラム部７１は、Ｃｓ、Ｔｒ１、Ｔｒ２、Ｔｒ３より構成されている。
【０１４３】
図１０のＳＣＮＡ＿Ｇ＊は、プログラム制御信号線（第２の信号線）であって、図８のＳＣＡＮ＿Ａに対応し、ＯＮ／ＯＦＦいずれかのプログラム制御信号を出力する。プログラム制御信号は、ＥＬ（有機エレクトロルミネッセンス素子６３）に供給する電流の値を制御するための容量素子（Ｃｓ）への充電電位を、トランジスタ（Ｔｒ２、Ｔｒ３）のＯＮ／ＯＦＦにより制御するための信号である。
【０１４４】
図１０のＳＣＮＢ＿Ｐ＊は、発光制御信号線（第１の信号線）であって、ＥＬに供給する電流をＯＮ／ＯＦＦするための信号である。ＳＣＮＢ＿Ｐ＊がＯＮ（すなわちＬｏｗレベル）の時にＴｒ４がＯＮ状態になるので、電源（Ｖｓ）からＴｒ１を介してＥＬに電流が流れるようになり、ＥＬが発光する。逆に、ＳＣＮＢ＿Ｐ＊がＯＦＦ（すなわちＨｉｇｈレベル）の時はＴｒ４がＯＦＦ状態になるので、ＥＬへの電流パスが遮断されＥＬに電流は流れないので非発光となる。
【０１４５】
また、図８のゲートコントローラ６８から出力された第１の信号線としての発光制御信号線（ＳＣＮＢ＿Ｐ＊）は計５１２０本の信号で、各画素の駆動エレメントに入力され、各画素の画像データに応じて所定のタイミングで、ＯＮ／ＯＦＦいずれかの発光制御信号を出力する。発光制御信号は、結果的に各ＥＬ（有機エレクトロルミネッセンス素子６３）の発光又は非発光を表わす信号である。
【０１４６】
すなわち、発光制御信号（ＳＣＮＢ＿Ｐ＊）は１画素毎に独立しており、各画素の画像データ（発光素子からの光によって形成される像を形成するためのデータ）に応じてＯＮ／ＯＦＦに設定される。言い換えると、発光制御信号は、各画素独立、各画素の画像データに応じてＯＮ・ＯＦＦのいずれかに切り替えられる。一方、プログラム制御信号ＳＣＮＡ＿Ｇ＊は各画素毎に独立しておらず、全画素を構成する６４０のグループ各々に対して供給される。また、後述するように、プログラム部７１は、ＥＬ素子６３の駆動条件（駆動電流、駆動電圧等）を設定する駆動条件設定部として機能し、ドライバ部７０は、所定の周期でＥＬ素子６３の発光、非発光を制御する駆動制御部として機能する。
【０１４７】
図１１及び図１２にタイミングチャートを示す。図１１は、電流プログラム時のタイミングを示すもので、本実施形態においては待機中（例えば印字開始前や連続印字中の用紙間）の期間において実行される。ＮＨＳＹＮＣは、１ラインの期間を表す基準信号である。前述したように、実施形態においては、１つのグループを８画素としたので、１ラインの期間内でソースドライバ６１の１つの出力から８画素に対して順次選択的にプログラム動作を行うために、ＳＣＡＮ＿Ａ信号は計８本の信号（ＳＣＮＡ＿Ｇ１〜ＳＣＮＡ＿Ｇ８）で構成され、図１１のようにそれぞれのＳＣＡＮ＿Ａ信号はＯＮするタイミングがずれた状態で制御される。図１１においては、プログラムの時間を十分確保するために、１つのＳＣＡＮ＿Ａ信号は、第１の時間長として定義される数ライン分の時間ＯＮしており、これによって容量素子（Ｃｓ）への十分な充電電位を与えることができる。ここで、プログラムが終了した後も充電電位が印字中も一定のレベルに保たれるよう、容量素子（Ｃｓ）の容量を大きくしておく必要がある。逆を言えば、容量素子（Ｃｓ）の容量を大きくすることでプログラム時間は長く必要となるので、図１１に示すように印字中以外の期間で十分なプログラム時間を確保している。図１１のように、ＳＣＮＡ＿Ｇ１〜ＳＣＮＡ＿Ｇ８の各ＳＣＡＮ＿Ａ信号を順次ＯＮすることで、全５１２０画素分のプログラム動作が完了する。このプログラム期間中は印字動作していないので、ＳＣＮＢ＿Ｍ１〜ＳＣＮＢ＿Ｍ８信号はＯＦＦであり、各画素の発光制御信号（ＳＣＮＢ＿Ｐ１〜ＳＣＮＢ＿Ｐ５１２０）はＯＦＦである。
【０１４８】
図１２は、印字中のタイミングを示すものである。ＳＣＡＮ＿Ｂ信号については、基準となる信号はＳＣＡＮ＿Ａ信号と同様に８本（ＳＣＮＢ＿Ｍ１〜ＳＣＮＢ＿Ｍ８）で構成されるが、ＳＣＡＮ＿Ｂ信号は各画素の画像データに基づきＯＮ／ＯＦＦが制御されるので、最終的に本実施の形態では５１２０本（ＳＣＮＢ＿Ｐ１〜ＳＣＮＢ＿Ｐ５１２０）の信号である。図１２にはＳＣＮＢ＿Ｐ１、ＳＣＮＢ＿５１２０の２本の信号のみ記載しており、ＳＣＮＢ＿Ｐ１はＳＣＮＢ＿Ｍ１を基準に画素１の画像データに基づきＯＮ／ＯＦＦが制御され、ＳＣＮＢ＿Ｐ５１２０はＳＣＮＢ＿Ｍ８を基準に画素５１２０の画像データに応じてＯＮ／ＯＦＦが制御される。印字中は、ＳＣＮＢ＿Ｍ１〜ＳＣＮＢ＿Ｍ８の各信号が図１２に示すように所定のタイミングでＯＮ／ＯＦＦを繰り返しており、各画素の発光制御信号（ＳＣＮＢ＿Ｐ１〜ＳＣＮＢ＿Ｐ５１２０）は当該画素の画像データがＯＮの場合は対応するＳＣＮＢ＿Ｍ＊信号に基づいてＯＮし、画像データがＯＦＦの場合はＯＦＦのままである。発光制御信号（ＳＣＮＢ＿Ｐ１〜ＳＣＮＢ＿Ｐ５１２０）がＯＮした場合、図１２でプログラムされた当該画素の容量素子（Ｃｓ）への充電電位に基づいて有機エレクトロルミネッセンス素子に電流が流れ発光する。ここで、図１２においてもＳＣＡＮ＿Ａ信号（ＳＣＮＡ＿Ｇ１〜ＳＣＮＡ＿Ｇ８）は、対応するＳＣＡＮ＿Ｂ信号（ＳＣＮＢ＿Ｍ１〜ＳＣＮＢ＿Ｍ８）がＯＦＦの期間でＯＮしている。これは、待機中（印字開始前や用紙間での期間）にプログラムされた容量素子（Ｃｓ）への充電電位がリーク電流等の影響で変化することへの対応であり、印字の１ライン毎に各画素の容量素子（Ｃｓ）へ補助的なプログラム動作（補助的な充電動作）であって、以下補助プログラミングと呼ぶ。補助プログラミングを行うことで、印字中も１ライン毎に各画素の容量素子（Ｃｓ）がリフレッシュされるので、より安定した電流を有機エレクトロルミネッセンス素子に供給することができ、画像形成をより安定化することができる。この補助プログラミングにおけるプログラミング信号ＳＣＡＮ＿ＡのＯＮ時間を第２の時間長と定義すると、当該第２の時間長は、前述した待機中におけるＳＣＡＮ＿ＡのＯＮ時間である第１の時間長より短いこととなる。
【０１４９】
次に、実施形態の発光制御について更に詳細に説明する。図１３は本発明の実施形態の画像形成装置１における、印字中での露光装置１３に係る補助的な電流プログラム期間（補助プログラミングの実行期間）とＥＬの点灯期間（発光期間）を示す説明図である。次に、図９、図１０を併用して実施形態の発光制御について更に詳細に説明する。以降説明を簡単にするために８画素から成る一つの画素グループ（例えば図９の「主走査方向における画素番号」＝１〜８）について説明を行なう。また、先に説明したように、各画素への電流プログラム動作は本発光制御動作（印字動作）に先立って図１１に示すようなタイミングで実行済みである。
【０１５０】
実施形態では露光装置１３の１ライン期間（ラスタ期間）は３５０μｓに設定されており、この１ライン期間のうち１／８（４３．７７μｓ）をプログラム部７１に形成されたコンデンサ（Ｃｓ）に対し蓄積電位のリフレッシュを行う補助プログラミング動作期間（第２の時間長）として当てている。
【０１５１】
（１）まずゲートコントローラ６８（図８参照）は画素番号＝１の画素に対してＳＣＮＡ＿Ｇ１信号をＯＮに、ＳＣＮＢ＿Ｐ１信号をＯＦＦにして補助プログラミング期間を設定する。このとき、ＳＣＮＡ＿Ｇ１信号によってＴｒ２、Ｔｒ３（図１０）がＯＮに設定される。
【０１５２】
（２）この補助プログラミング期間においては、待機中（印字開始前や用紙間での期間）に実行するプログラム期間と同様にソースドライバ６１（図８参照）に内蔵されたＤ／Ａコンバータ７２には８ｂｉｔの光量補正データが供給されており、この供給されたディジタルデータをＤ／Ａ変換したアナログレベル信号、すなわち図１０のプログラム電流Ｉｐによってプログラム部７１（図８）のコンデンサＣｓ（図１０）は所定の電位に充電される。
【０１５３】
この補助プログラミング期間はゲートコントローラ６８に入力される２値画像データのＯＮ／ＯＦＦに係らず実行される。これによってプログラム部７１に形成されたコンデンサＣｓには、８ｂｉｔの光量補正データに基づくアナログ値が１ライン期間の都度、毎回書き込まれる。即ちプログラム部７１に形成されたコンデンサの蓄積電荷は常にリフレッシュされ、これに基づき決定されるＥＬ（有機エレクトロルミネッセンス素子６３）の駆動電流は常に一定に保たれるのである。
【０１５４】
（３）次にプログラム期間が完了すると、ゲートコントローラ６８（図８参照）は直ちにＳＣＮＡ＿Ｇ１信号をＯＦＦに切り替える。ＳＣＮＡ＿Ｇ１信号がＯＦＦになると、Ｔｒ２、Ｔｒ３（図１０）がＯＦＦになり、電荷の放出先がなくなるため、Ｃｓに印加された電位は保持される。
【０１５５】
（４）続いて、ゲートコントローラ６８（図８参照）は直ちにＳＣＮＢ＿Ｐ１信号をＯＮに切り替え、発光期間（点灯期間）を設定する。ＳＣＮＢ＿Ｐ１信号がＯＮになると、Ｔｒ４（図１０）がＯＮになり（ただし画像データがＯＮのときのみ、下記参照）、（３）でＣｓに保持された電位（ゲート電位）によって決定される電流（ドレイン電流）が、ＶｓからＴｒ１を流れ、さらにＴｒ４を介してＥＬ（有機エレクトロルミネッセンス素子６３）に流れ（図１０参照）、ＥＬが発光する。
【０１５６】
既に説明したようにゲートコントローラ６８（図８参照）には画像形成時、光量計測時に応じて２値画像データが供給されており、発光期間であっても画像データがＯＦＦの場合、有機エレクトロルミネッセンス素子６３は発光しない。一方画像データがＯＮの場合、有機エレクトロルミネッセンス素子６３は残りの３０６．２５μｓ（３５０μｓ−４３．７５μｓ）の期間、発光を継続する（実際は制御信号の切り替わり時間が存在するため発光時間は若干短くなる）。既に述べたように実施形態では有機エレクトロルミネッセンス素子６３の光量を計測する際は３０ｍｓの計測期間を想定しているから、光量計測時の点灯回数は例えば１００回（即ち１００ライン）となるように、コントローラ４１でダミーイメージ情報が生成されることとなる。
【０１５７】
（５）続いて、ゲートコントローラ６８（図８参照）は、発光期間が完了すると、直ちにＳＣＮＢ＿Ｐ１信号をＯＦＦに切り替える。本実施形態では、Ｔｒ４がＰチャンネルトランジスタ、Ｔｒ５がＮチャンネルトランジスタという互いにＯＮ・ＯＦＦ条件が相反する関係になっている。従って、ＳＣＮＢ＿Ｐ１信号がＯＦＦになると、Ｔｒ４（図１０）がＯＦＦになり、ＥＬには電流が流れなくなり、逆にＴｒ５がオン状態になるので、ＥＬは略ＧＮＤ電位になって消灯する。
【０１５８】
一方、図８に示す画素番号＝１のピクセル回路６９に対するプログラム期間が終了すると、ゲートコントローラ６８は直ちに画素番号＝８のピクセル回路６９に対する補助プログラミング期間を設定する。以降、画素番号１のピクセル回路に対する手順と同様に、画素番号８のピクセル回路に対するプログラム期間が完了すると直ちに当該画素番号の有機エレクトロルミネッセンス素子６３の発光期間に移行する。
【０１５９】
上述した（１）〜（５）のピクセル回路の動作を１ラインの時間内で、総てのピクセル回路について実行し、さらにこのライン毎に繰返し実行する。そして、画像データがＯＮ（ＥＬを発光させる状態）の時のみ、（４）の動作は実行される。各画素のＳＣＮＢ信号は、当該ピクセル回路（画素）の画像データに応じてＯＮ／ＯＦＦが決定される。言い換えると、ＳＣＮＢ信号は各画素に応じて固有の画素データ（信号）を持ち、実質的に発光制御を行なう役割を果たす。
【０１６０】
一方、図１０（ｂ）に示した電圧プログラム方式におけるピクセル回路では、図１０（ａ）に示したピクセル回路とは異なり、Ｔｒ３が存在せず、ソースドライバ６１のＤ／Ａコンバータ７２から出力されたプログラム電圧ＶｐがＴｒ２に入力される。そして、上記（１）のステップにおいて、プログラム電圧ＶｐによってＣｓが所定の電位に充電される。そして上記（２）のステップで、Ｔｒ２のみがＯＦＦとなる。その後は、上記と同じステップを経て、ＥＬの発光、消灯制御がなされる。
【０１６１】
また、このようにしてゲートコントローラ６８（図８参照）は主走査方向における画素番号＝「１→８→２→７→３→６→４→５→１．．．．」の順にプログラム期間と発光期間を設定していく。このような点灯順序とすることで、隣接する画素グループ間において最も近い画素の点灯タイミングが時間的に近接するため、１ライン形成時の画像段差を目立たなくすることができる。
【０１６２】
図１４は、本発明において、ピクセル回路６９に対するプログラミング動作及び発光動作が行なわれるタイミングチャートを示す。図１４においては、２つの動作例を示した。ここで、プログラミング動作は上述の（１）〜（３）のステップに対応し、発光動作は（４）、（５）のステップに対応する。加えて説明すると、（１）〜（３）のステップは印字中での動作として説明したため補助プログラミングとして述べたが、待機中（印字開始前や用紙間での期間）に行う本来のプログラム動作おいてもピクセル回路６９に対する動作は（１）〜（３）のステップで説明した動作と基本的に同じである。すなわち、プログラミング動作は、ピクセル回路６９の容量素子Ｃｓに電荷を蓄える（チャージする）過程に相当し、発光動作は、蓄えられた電荷を電流に変えてＥＬ素子に発光させる過程と考えられる。
【０１６３】
図１４（ａ）の例では、プログラミング動作の過程であるＰ１、Ｐ２、Ｐ３において、基本的にＣｓへの蓄電が行なわれる。ここで、Ｐ１、Ｐ２、Ｐ３は、発光動作の過程であるＬ１、Ｌ２とは異なるタイミング、すなわち待機中に設定されている。待機中とはＥＬ素子からの発光、及び記録紙３への印字、印刷が行なわれていないタイミング（印字開始前や用紙間での期間）であり、このタイミングを狙ってＣｓへの電荷チャージが、第１の時間長をもって行なわれる。
【０１６４】
一方、印字中は図１５に示すようなタイミングに基づいて発光制御動作が行われる。画像データに応じて、各画素のＳＣＮＢ信号（ＳＣＮＢ＿Ｐ１〜ＳＣＮＢ＿Ｐ５１２０）はＯＮ／ＯＦＦし、各画素のＥＬが発光／消灯する。図１４（ａ）の例では、印字中には各ピクセル回路６９に対するプログラミング動作（前述の補助プログラミング）は行っていない。従って、図１５においてはプログラム制御信号（ＳＣＮＡ＿Ｇ１〜ＳＣＮＡ＿Ｇ８）はＨｉｇｈレベルの状態でプログラム部７１のＴｒ２、Ｔｒ３をＯＦＦし、プログラミング動作は実行されない。このように、印字中にプログラミング動作を実行しないために、待機中にプログラム部７１の容量素子（Ｃｓ）にチャージされた電位はリーク電流等の影響によって徐々にではあるが変化し、発光時にＥＬに流れる電流を変化させる要因となる。
【０１６５】
この影響を低減するためには、図１４（ｂ）に示すように印字中に補助プログラミングを行うことが効果的である。図１４（ｂ）の場合、印字中は図１２に示すタイミングチャートに従い、ライン毎に全てのＥＬのピクセル回路６９に対するプログラミング動作（補助プログラミング）が第２の時間長をもって実行され、全てのＥＬのピクセル回路６９におけるプログラム部７１の容量素子（Ｃｓ）がリフレッシュされるので、リーク電流等の影響による容量素子（Ｃｓ）の電位変化を補償することができ、ＥＬの光量バラツキが低減できるのでより安定した画像形成を行うことができる。
【０１６６】
本発明によれば、基本的に待機中の期間においてプログラミング動作が行われ、印字中にはプログラミング動作を実行しない、あるいは補助的なプログラミング動作のみ行うことで、画像データに応じたＥＬの発光制御による画像形成ができるので、印字中のプログラム時間を大幅に低減でき、印字速度をより高速化することが可能となる。また、逆の見方をすると、ソースドライバ６１のＤ／Ａコンバータ７２が１個あたり担当する画素の数を増やすことも可能となる。すなわち、待機中に行う全てのピクセル回路６９に対するプログラム動作においては、図１１に示す例えば複数ライン分の時間を確保することができ、印字中に行う１画素あたりのプログラム時間を短縮あるいはなくすことができるため、１つのＤ／Ａコンバータ７２が担当する画素の数を増やすことが可能となるのである。従って、ソースドライバ６１のＤ／Ａコンバータ７２の数（出力チャンネル数）を低減することができ、装置構成を簡略化し、製造コストの削減を図ることも可能となる。
【０１６７】
尚、駆動エレメント６９のプログラム部（駆動条件設定部）７１によって、ＥＬ素子６３の駆動電流値を一旦設定した後は、ラインを複数の周期（本実施形態では１ラスタ周期は３５０μｓ）にわたって露光する間（例えば１ページの印刷が完了するまで）、プログラム部７１に含まれる容量素子であるコンデンサＣｓにプログラムされた電荷を維持することは可能である。例えばコンデンサＣｓの容量を大きくし、それに見合った第１の時間長を確保することによって、たとえリーク電流等の影響を受けて充電電位が変動することがあっても、印字に必要なコンデンサＣｓの充電電位を確保することは可能である。これは見方を変えると、１ページ分の画像データに基づいて複数のラインを露光する間に、その途中でプログラム部は、駆動エレメントに設定内容を書き込まない（プログラムしない）、ということである（補助プログラミングは不要）。ここで、駆動条件を維持する（プログラムを書き込まない）複数の周期は、上述したように記録紙３の如き記録媒体の印刷ページ（１ページ）のラスタ数（走査数）に合致することが好ましい。このような条件により、１ページの中で印刷条件が維持されるため、ページ内での印刷状態の変化が目視されてしまうような事態を避けることができるからである。
【０１６８】
さて実施形態においては露光装置１３を構成する有機エレクトロルミネッセンス素子６３の発光時間を一定とし、電流値を変化させることで、有機エレクトロルミネッセンス素子６３の光量を制御する構成を前提として説明してきたが、本発明は有機エレクトロルミネッセンス素子６３などの発光素子の駆動電流値を固定的に設定し、発光時間を変化させて発光素子の光量を制御する、いわゆるＰＷＭ方式においても容易に適用できる。この場合は図６を用いて説明した第１エリアの内容を「潜像断面積を等しくするための駆動時間の設定値」と置き換えればよい。
【０１６９】
また露光装置によっては有機エレクトロルミネッセンス素子などによって構成された発光素子列を複数列有し、感光体の回転方向に対して略同じ位置に複数回の露光を行なうことで、潜像を形成するものも知られている。このような露光装置であっても複数回の露光によって形成される潜像が現像に寄与しないように光量やＰＷＭ時間を設定することで、本発明の技術的思想を適用することが可能となる。このような露光装置では単一の発光素子列では現像に寄与する潜像は形成されないから、例えば紙間において列単位で光量を計測するようなシーケンスが考えられる。
【０１７０】
また、実施形態ではＴＦＴ回路、有機エレクトロルミネッセンス素子と同じポリシリコンのモノシリックデバイスとして構成された光量センサを用いて有機エレクトロルミネッセンス素子６３の光量を計測しているが、本発明の技術的思想はこれに限定されるものではない。例えば、アモルファスシリコンにて複数のフィルム状の光量センサを構成し、ガラス基板５０の端面（図４参照）に沿って配置した構成に対しても、本発明は適用可能である。
【０１７１】
本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１７２】
以上のように本発明にかかる画像形成装置用の駆動回路を用いることにより、個々の画素を駆動するプログラム時間の短縮を図ることができ、印字速度、印刷速度の更なる高速化を達成できる。ひいては装置の製造コストを削減することも可能となる。
【図面の簡単な説明】
【０１７３】
【図１】本発明の基本実施形態の画像形成装置の構成図
【図２】同実施形態の画像形成装置における現像ステーションの周辺を示す構成図
【図３】同実施形態の画像形成装置における露光装置の構成図
【図４】（ａ）は同実施形態の画像形成装置における露光装置に係るガラス基板の上面図、（ｂ）は同要部拡大図
【図５】同実施形態の画像形成装置におけるコントローラの構成を示すブロック構成図
【図６】同実施形態の画像形成装置における光量補正データメモリの内容を示す説明図
【図７】同実施形態の画像形成装置におけるエンジン制御部の構成を示すブロック構成図
【図８】同実施形態の画像形成装置における露光装置の回路図
【図９】ＴＦＴ回路及びソースドライバの関係を示す図
【図１０】ピクセル回路（画素）の詳細な構成を示す図
【図１１】待機中のタイミングチャート図
【図１２】印字中のタイミングチャート図
【図１３】露光装置の電流プログラム期間と有機エレクトロルミネッセンス素子の点灯期間を示す説明図
【図１４】ＥＬ駆動制御のタイミングチャート図
【図１５】プログラミング動作のない印字中のタイミングチャート図
【符号の説明】
【０１７４】
１      画像形成装置
２，２Ｙ，２Ｍ，２Ｃ，２Ｋ  現像ステーション
３      記録紙
４      給紙トレイ
５      記録紙搬送路
６      現像剤
８，８Ｙ，８Ｍ，８Ｃ，８Ｋ  感光体
１０    現像スリーブ
１３，１３Ｙ，１３Ｍ，１３Ｃ，１３Ｋ  露光装置
１９    レジストローラ
２０    ピンチローラ
２１    記録紙通過検出センサ
４１    コントローラ
４２    エンジン制御部
４３    電源部
５０    ガラス基板
５１    レンズアレイ
５７    光量センサ
６１    ソースドライバ
６２    ＴＦＴ回路
６３    有機エレクトロルミネッセンス素子
６４    封止ガラス
６５    イメージメモリ
６６    光量補正データメモリ
６７    タイミング生成部
６８    ゲートコントローラ
６９    ピクセル回路（駆動エレメント）
７０    ドライバ部
７１    プログラム部
７２    Ｄ／Ａコンバータ
８０    コンピュータ
８３    コントローラＣＰＵ
８７    プリンタインタフェース
９０    コントローラインタフェース
９１    エンジン制御ＣＰＵ
９８    操作パネル
【図１】
2007283598.tif 000004
【図２】
2007283598.tif 000005
【図３】
2007283598.tif 000006
【図４】
2007283598.tif 000007
【図５】
2007283598.tif 000008
【図６】
2007283598.tif 000009
【図７】
2007283598.tif 000010
【図８】
2007283598.tif 000011
【図９】
2007283598.tif 000012
【図１０】
2007283598.tif 000013
【図１１】
2007283598.tif 000014
【図１２】
2007283598.tif 000015
【図１３】
2007283598.tif 000016
【図１４】
2007283598.tif 000017
【図１５】
2007283598.tif 000018